(57)【要約】【課題】ユーザーが好みの柔らかさの筆記感を得ることができるボールペンを提供する。【解決手段】チップホルダー９のチップ固着部後方の外周を軸筒２の先端部内壁に圧接し、非筆記時、チップ固着部外周と軸筒２の先端部内壁とを非接触状態にし、筆記時、筆記圧でボールペンチップ８を軸筒２に対して撓み変形可能とする。軸筒２の先端孔４１内壁に、筆記時にボールペンチップ８の外周に接触し、ボールペンチップ８の軸筒２に対する撓み変形量を規制する規制部４２を設ける。規制部４２後方の軸筒２の先端部内壁にストレート状内面４３を設ける。チップ固着部後方のチップホルダー９外面に、ストレート状内面４３と前後に摺動可能に圧接する圧接部９１を設ける。規制部４２と圧接部９１先端との軸方向の距離Ｌ１を可変とする調節機構１２を設ける。【選択図】  図１
2009297913.tif 000002
【特許請求の範囲】
【請求項１】
金属製のボールペンチップを合成樹脂製のチップホルダーに固着させ前記チップホルダーをインキ収容筒の前部に固着させてなるボールペンレフィルと、前記ボールペンレフィルを内部に収容させ前記ボールペンチップを先端孔から突出させる軸筒とからなり、前記チップホルダーのチップ固着部後方の外周を前記軸筒の先端部内壁に圧接し、非筆記時、前記チップ固着部外周と軸筒の先端部内壁とを非接触状態にし、筆記時、筆記圧でボールペンチップを軸筒に対して撓み変形可能としたボールペンであって、軸筒の先端孔内壁に、筆記時にボールペンチップの外周またはチップホルダーのチップ固着部外周に接触し、ボールペンチップの軸筒に対する撓み変形量を規制する規制部を設け、前記規制部後方の軸筒の先端部内壁にストレート状内面を設け、前記チップ固着部後方のチップホルダー外壁に、前記ストレート状内面と前後方向の摺動可能に圧接する圧接部を設け、前記規制部と前記圧接部先端との軸方向の距離を可変とする調節機構を設けたことを特徴とするボールペン。
【請求項２】
軸筒内に、ボールペンレフィルを後方に付勢する弾発体を設け、軸筒内壁に、ボールペンレフィル外壁と当接しボールペンレフィルの後方への移動を阻止する当接部を設け、前記調節機構の操作により、前記規制部と前記当接部との軸方向の距離を可変とした請求項１記載のボールペン。
【請求項３】
軸筒が、先端孔及びストレート状内面を備えた前部材と、該前部材の後端に回転可能に螺合される後部材とからなり、前記後部材の先端または内壁に、ボールペンレフィル外壁と当接しボールペンレフィルの後方への移動を阻止する当接部を設け、前記前部材の先端孔内壁に規制部を設け、前記前部材内にボールペンレフィルを後方に付勢する弾発体を設け、前記調節機構が、前記前部材と前記後部材とからなり、前記後部材を前記前部材に対して回転操作することにより、前部材に対して後部材を前後に移動させ、前記規制部と前記当接部との軸方向の距離を可変とした請求項２記載のボールペン。
【発明の詳細な説明】
【技術分野】
【０００１】
本発明は、ボールペンに関する。詳細には、筆記時、筆記圧でボールペンチップが軸筒に対して撓み変形可能なボールペンに関する。
【背景技術】
【０００２】
従来この種のボールペンにおいて、特許文献１には、金属製のボールペンチップを合成樹脂製のチップホルダーに固着させ前記チップホルダーをインキ収容筒前部に固着させてなるボールペンレフィールと、前記ボールペンレフィールを内部に収容させ前記ボールペンチップを先端孔から突出させる軸筒とからなり、前記チップホルダー外周が前記軸筒の先端部内壁と圧接保持されてなるボールペンにおいて、前記チップホルダーのボールペンチップ固着部９１外周と、軸筒の先端部内壁とが非接触状態にあることが記載され、また、ボールペンチップ固着部９１後方のチップホルダー外周を、軸筒の先端部内壁に圧接保持させてなることが記載され、さらには、軸筒が、前軸と後軸とからなり、前記前軸が、先端部にボールペンチップが突出される先端孔とチップホルダー外周が圧接される内壁部を備えるとともに、後軸前部に螺着されてなることが記載されている。
【０００３】
また、特許文献２には、ボールペンチップがインキ収容筒にチップホルダーを介して取り付けられたボールペンレフィールを軸筒内に収容し、該軸筒の先端孔より前記ボールペンチップを突出させたボールペンにおいて、前記チップホルダーを合成樹脂により構成するとともに、前記先端孔をストレート状に貫設し、前記先端孔内壁に前記チップホルダーの前部を圧接させてなるボールペンが記載されている。
【特許文献１】特許第３３７６４５０号公報
【特許文献２】特許第３２００７２２号公報
【発明の開示】
【発明が解決しようとする課題】
【０００４】
前記特許文献１のボールペンは、一定のソフトな筆記感が得られるとしても、ユーザーが、例えば、もう少し硬い筆記感を得たい場合、あるいは、もう少しソフトな筆記感を得たい場合、筆記時のボールペンチップの軸筒に対する撓み変形量を、好みに合わせて自由に調節し、好みの柔らかさの筆記感を得ることはできない。また、前記特許文献１のボールペンは、前軸と後軸との螺合を緩めると、筆記時、ボールペンチップが前後にがたつき、好みの柔らかさの筆記感を適正に維持することができない。
【０００５】
また、特許文献２のボールペンは、ボールペンレフィルの軸方向の寸法ばらつきを吸収し、ボールペンレフィルを軸筒に確実に圧入保持するものであり、ユーザーが筆記感の柔らかさを自由に調節することは困難である。
【０００６】
本発明は、前記従来の問題点を解決するものであって、ユーザーが好みの柔らかさの筆記感を得ることができ、しかも、ユーザーの好みの柔らかさの筆記感を適正に維持できるボールペンを提供しようとするものである。尚、本発明において、「前」とはボールペンチップ側を指し、「後」とは反対側を指す。
【課題を解決するための手段】
【０００７】
［１］本願の第１の発明は、金属製のボールペンチップ８を合成樹脂製のチップホルダー９に固着させ前記チップホルダー９をインキ収容筒１０の前部に固着させてなるボールペンレフィル７と、前記ボールペンレフィル７を内部に収容させ前記ボールペンチップ８を先端孔４１から突出させる軸筒２とからなり、前記チップホルダー９のチップ固着部９１後方の外周を前記軸筒２の先端部内壁に圧接し、非筆記時、前記チップ固着部９１外周と軸筒２の先端部内壁とを非接触状態にし、筆記時、筆記圧でボールペンチップ８を軸筒２に対して撓み変形可能としたボールペンであって、軸筒２の先端孔４１内壁に、筆記時にボールペンチップ８の外周またはチップホルダー９のチップ固着部９１外周に接触し、ボールペンチップ８の軸筒２に対する撓み変形量を規制する規制部４２を設け、前記規制部４２後方の軸筒２の先端部内壁にストレート状内面４３を設け、前記チップ固着部９１後方のチップホルダー９外壁に、前記ストレート状内面４３と前後方向の摺動可能に圧接する圧接部９２を設け、前記規制部４２と前記圧接部９２先端との軸方向の距離Ｌ１を可変とする調節機構１２を設けたことを要件とする。
【０００８】
前記第１の発明のボールペン１は、規制部４２と圧接部９２先端との軸方向の距離Ｌ１を可変とする調節機構１２を設けたことにより、ユーザーが、調節機構１２を操作し、規制部４２と圧接部９２先端との軸方向の距離を調節することによって、筆記時のボールペンチップ８の軸筒２に対する撓み変形量を、好みに合わせて自由に調節し、好みの柔らかさの筆記感を得ることができる。
【０００９】
前記第１の発明のボールペン１は、例えば、ユーザーが、調節機構１２を操作することにより、規制部４２と圧接部９２先端との軸方向の距離Ｌ１を比較的短く設定した場合、圧接部９２を支点とした撓み変形の範囲が規制部４２により比較的広く設定され、ボールペンチップ８が軸筒２に対して大きく撓み変形可能となり、筆記時、比較的ソフトな筆記感が得られる。また、前記第１の発明のボールペン１は、調節機構１２を操作することにより、規制部４２と圧接部９２先端との軸方向の距離Ｌ１を比較的長く設定した場合、圧接部９２を支点とした撓み変形の範囲が規制部４２により比較的狭く設定され、ボールペンチップ８が軸筒２に対して小さく撓み変形可能となり、筆記時、比較的硬い筆記感が得られる。
【００１０】
尚、第１の発明において、規制部４２と圧接部９２先端との軸方向の距離Ｌ１を可変とする調節機構１２とは、例えば、ボールペンレフィル７が当接する当接部６１と規制部４２との軸方向の距離を可変とするもの、あるいは、軸筒２内壁に当接するボールペンレフィル７外壁の係止部とボールペンレフィル７の圧接部９２先端との軸方向の距離を可変とするものが挙げられる。
【００１１】
［２］本願の第２の発明は、前記第１の発明において、軸筒２内に、ボールペンレフィル７を後方に付勢する弾発体１１を設け、軸筒２内壁に、ボールペンレフィル７外壁と当接しボールペンレフィル７の後方への移動を阻止する当接部６１を設け、前記調節機構１２の操作により、前記規制部４２と前記当接部６１との軸方向の距離Ｌ２を可変としたことを要件とする。
【００１２】
前記第２の発明のボールペン１は、軸筒２内に、ボールペンレフィル７を後方に付勢する弾発体１１を設けたことにより、ユーザーがいかなる柔らかさの筆記感に調節したとしても、常にボールペンレフィル７外壁と軸筒２内壁の当接部６１との当接状態が維持され、筆記時のボールペンチップ８が前後にがたつくことが回避され、好みの柔らかさの筆記感を適正に維持することができる。
【００１３】
また、前記第２の発明のボールペン１は、軸筒２内壁に、ボールペンレフィル７と当接しボールペンレフィル７の後方への移動を阻止する当接部６１を設け、調節機構１２の操作により、規制部４２と当接部６１との軸方向の距離Ｌ２を可変としたことにより、軸筒２の長手寸法が可変となるため、調節機構１２の操作が容易となる。
【００１４】
前記第２の発明のボールペン１は、例えば、ユーザーが、調節機構１２を操作することにより、規制部４２と当接部６１との軸方向の距離Ｌ２を比較的短く設定すると、それに伴い、規制部４２と圧接部９２先端との軸方向の距離Ｌ１が比較的短く設定される。それにより、圧接部９２を支点とした撓み変形の範囲が規制部４２により比較的広く設定され、ボールペンチップ８が軸筒２に対して大きく撓み変形可能となり、筆記時、比較的ソフトな筆記感が得られる。また、前記第２の発明のボールペン１は、ユーザーが、調節機構１２を操作することにより、規制部４２と前記当接部６１との軸方向の距離Ｌ２を比較的長く設定すると、それに伴い、規制部４２と圧接部９２先端との軸方向の距離Ｌ１が比較的長く設定される。それにより、圧接部９２を支点とした撓み変形の範囲が規制部４２により比較的狭く設定され、ボールペンチップ８が軸筒２に対して小さく撓み変形可能となり、筆記時、比較的硬い筆記感が得られる。
【００１５】
［３］本願の第３の発明は、前記第２の発明において、軸筒２が、先端孔４１及びストレート状内面４３を備えた前部材３と、該前部材３の後端に回転可能に螺合される後部材６とからなり、前記後部材６の先端または内壁に、ボールペンレフィル７外壁と当接しボールペンレフィル７の後方への移動を阻止する当接部６１を設け、前記前部材３の先端孔４１内壁に規制部４２を設け、前記前部材３内にボールペンレフィル７を後方に付勢する弾発体１１を設け、前記調節機構１２が、前記前部材３と前記後部材６とからなり、前記後部材６を前記前部材３に対して回転操作することにより、前部材３に対して後部材６を前後に移動させ、前記規制部４２と前記当接部６１との軸方向の距離Ｌ２を可変としたことを要件とする。
【００１６】
前記第３の発明のボールペン１は、前部材３内にボールペンレフィル７を後方に付勢する弾発体１１を設けたことにより、ユーザーがいかなる柔らかさの筆記感に調節したとしても、常にボールペンレフィル７外壁と軸筒２内壁の当接部６１との当接状態が維持され、筆記時のボールペンチップ８が前後にがたつくことが回避され、好みの柔らかさの筆記感を適正に維持することができる。
【００１７】
また、前記第３の発明のボールペン１は、前記調節機構１２が、前部材３と該前部材３の後端に回転可能に螺合される前記後部材６とからなり、前記後部材６を前記前部材３に対して回転操作することにより、前部材３に対して後部材６を前後に移動させ、規制部４２と当接部６１との軸方向の距離Ｌ２を可変としたことにより、軸筒２の長手寸法が可変となり、調節機構１２の操作が容易となる。
【００１８】
前記第３の発明のボールペン１は、例えば、ユーザーが、調節機構１２を操作することにより、前部材３に対して後部材６を前方に移動させ、規制部４２と当接部６１との軸方向の距離Ｌ２を比較的短く設定すると、それに伴い、規制部４２と圧接部９２先端との軸方向の距離Ｌ１が比較的短く設定される。それにより、圧接部９２を支点とした撓み変形の範囲が規制部４２により比較的広く設定され、ボールペンチップ８が軸筒２に対して大きく撓み変形可能となり、筆記時、比較的ソフトな筆記感が得られる。前記第３の発明のボールペン１は、ユーザーが、調節機構１２を操作することにより、前部材３に対して後部材６を後方に移動させ、規制部４２と当接部６１との軸方向の距離Ｌ２を比較的長く設定すると、それに伴い、規制部４２と圧接部９２先端との軸方向の距離Ｌ１が比較的長く設定される。それにより、圧接部９２を支点とした撓み変形の範囲が規制部４２により比較的狭く設定され、ボールペンチップ８が軸筒２に対して小さく撓み変形可能となり、筆記時、比較的硬い筆記感が得られる。
【００１９】
尚、本発明において、ボールペンチップ８とは、金属製の筒体よりなるチップ本体８１の先端に回転可能にペン先用ボールを抱持したものであり、ボール抱持部が塑性加工や切削加工により形成される。尚、本発明において、前記ボールペンチップ８は、チップ本体８１のぐらつきを防止する金属製の支持筒８２をチップホルダー９に固着する場合、前記支持筒８２もボールペンチップ８の一部とする。
【００２０】
尚、本発明で、チップ固着部９１外周とは、チップ固着部９１外周のボールペンチップ８外壁、または、チップ固着部９１外周のチップホルダー９外壁をいう。
【００２１】
尚、本発明において、チップホルダー９は、合成樹脂（例えば、ポリプロピレン、ポリアセタール等）からなり、ボールペンチップ８が軸筒２に対して撓み変形した際、チップ固着部９１と圧接部９２との間で弾性変形可能となる。前記チップホルダー９の先端部には、ボールペンチップ８が圧入等の手段により固着される。尚、本発明において、圧接部９２は、合成樹脂製のチップホルダー９の外面に一体に形成されることが好ましい。
【００２２】
尚、本発明において、前記インキ収容筒１０は、その内部に、インキが直接収容されるか、または、インキを含浸させたインキ吸蔵体が収容される。前記インキ収容筒１０は、チップホルダー９と別部材により構成してもよいし、ホルダー９と一体に形成してもよい。
【００２３】
尚、本発明において、規制部４２、先端孔４１、及びストレート状内面４３を備える軸筒２の先端部は、金属製であることが好ましい。それにより、筆記時、ボールペンチップ８の撓み変形量を、筆記圧の大小に関わらず、確実に規制することができる。尚、本発明において、軸筒２は、着脱自在の２部材（例えば、着脱自在に螺着される前部材と後部材、または前軸と後軸）で構成することにより、内部にボールペンレフィル７を交換可能に収容できる。
【００２４】
尚、本発明において、前記先端孔４１は、軸筒２の先端に設けられ、そこからボールペンレフィル７のボールペンチップ８が外部に突出される。
【００２５】
尚、本発明において、前記ストレート状内面４３は、軸筒２の先端部内壁に設けられ、例えば、前記軸筒２の先端孔４１の内面に設ける構成、または、先端孔４１の後方の軸筒２の先端部内壁に設ける構成が挙げられる。尚、本発明で、前記ストレート状内面４３とは、軸方向に同一内径を有する内面をいう。
【００２６】
尚、本発明において、前記規制部４２は、先端孔４１内壁の何れに設けてもよく、例えば、先端孔４１の先端開口内周縁に設ける構成、または、先端孔４１内壁の中間部に設ける構成が挙げられる。前記規制部４２は、少なくとも、ストレート状内面４３の前方に形成される。
【００２７】
前記弾発体１１は、ボールペンレフィル７を後方に付勢するものであればよく、例えば、コイルスプリング、弾性体等が挙げられる。
【発明の効果】
【００２８】
本発明のボールペンは、ユーザーが好みの柔らかさの筆記感を得ることができる。
【発明を実施するための最良の形態】
【００２９】
図１乃至図４に本発明の実施の形態を示す。
本実施の形態のボールペン１は、ボールペンレフィル７と、該ボールペンレフィル７を内部に収容する軸筒２とからなる。
【００３０】
前記ボールペンレフィル７は、ボールペンチップ８と、前記ボールペンチップ８の後端が固着されるチップホルダー９と、前記チップホルダー９の後端が固着されるインキ収容筒１０とからなる。
【００３１】
・ボールペンチップ
前記ボールペンチップ８は、金属製（例えばステンレス鋼製）筒体からなるチップ本体８１と、金属製（例えばステンレス鋼製、または黄銅製）の支持筒８２とからなる。前記チップ本体８１は、先端部に、内方への押圧変形（塑性加工）により、先端縁部及びボール受け座（ボール抱持部）が形成され、先端部に回転可能にペン先用ボールが抱持される。前記支持筒８２は、小径の前部と、大径の後部とからなり、前記小径の前部がチップ本体８１の外面を包囲し、前記大径の後部がチップホルダー９の先端部外周面に圧入固着される。前記支持筒８２により、チップ本体８１とチップホルダー９とのぐらつきが防止される。  
【００３２】
・チップホルダー
前記チップホルダー９は、合成樹脂（例えばポリプロピレン）の成形体から得られる筒状体である。前記チップホルダー９の先端部には取付孔（チップ固着部９１）が形成され、前記取付孔に、前記チップ本体８１の後端部が圧入固着される。前記チップホルダー９の先端部外周面（チップ固着部９１）には、支持筒８２が圧入固着される。
【００３３】
・圧接部
前記チップホルダー９の取付孔より後方の外面には、軸筒２の先端部内壁のストレート状内面４３に圧接可能な圧接部９２が一体に形成される。本実施の形態において、前記圧接部９２は、軸方向に延びる複数本のリブにより形成される。尚、これ以外にも、前記圧接部９２は、環状平滑面や、環状突起、または周状に分散配置される複数の点状突起であってもよい。
【００３４】
前記チップホルダー９の圧接部９２より後方の外面には、スプリング１１（弾発体）の後端が係止可能な係止壁部９３が形成される。
【００３５】
前記インキ収容筒１０内には、インキ（例えば水性インキ、油性インキ）と、該インキの消費に伴い前進する追従体（例えば高粘度流体）が直接収容される。
【００３６】
・軸筒
前記軸筒２は、前軸４と、前記前軸４と着脱自在に螺着される後軸５と、前記後軸５と回転可能に螺合される尾栓６とからなる。本実施の形態において、前記前軸４と前記後軸５とが前部材３となり、前記尾栓６が後部材となる。前記前軸４と後軸５との着脱により、軸筒２内に収容されたボールペンレフィル７を交換することができる。
【００３７】
前記前軸４は、金属（例えばステンレス鋼、黄銅等）により形成される。前記前軸４は、先細形状の外面を有する。
【００３８】
前記前軸４の先端には、先端孔４１が開口される。前記先端孔４１の内面は、ストレート状内面４３が形成される。前記先端孔４１の先端内周縁には、環状に規制部４２が形成される。
【００３９】
前記ストレート状内面４３の後方の前軸４内壁には、スプリング１１の先端が係止可能な係止段部４４が形成される。前記前軸４内壁の係止段部４４と前記ボールペンレフィル７の外壁の係止壁部９３との間にスプリング１１（圧縮コイルスプリング）が配置される。
【００４０】
また、前記前軸４の後端開口部内面には、メネジ部が形成される。前記メネジ部が、後軸５の先端部外面のオネジ部と着脱自在に螺合される。
【００４１】
前記後軸５の後端開口部内面には、メネジ部５１ａを有するメネジ筒５１が固着され、前記メネジ筒５１に、尾栓６のオネジ部６２が螺合される。尚、これ以外に、前記メネジ筒５１を設けず、後軸５の後端開口部に直接、メネジ部５１ａを形成してもよい。
【００４２】
前記尾栓６は、金属または合成樹脂から形成される。前記尾栓６は、先端に設けられた当接部６１と、該当接部６１の後方に形成されたオネジ部６２と、該オネジ部６２の後方に形成された操作部６３とからなる。前記尾栓６の当接部６１に、ボールペンレフィル７後端が当接され、ボールペンレフィル７の後方への移動が阻止される。前記尾栓６のオネジ部６２が、後軸５の後端開口部内面のメネジ部５１ａ（具体的にはメネジ筒５１のメネジ部５１ａ）と螺合される。前記操作部６３は、後軸５の後端より外部に突出される。前記操作部６３を回転操作することにより、当接部６１が軸筒２に対して前後に移動される。
【００４３】
前記前軸４内壁の係止段部４４とボールペンレフィル７の外壁の係止壁部９３との間に配置されたスプリング１１が、ボールペンレフィル７を常時後方に付勢する。それにより、尾栓６の当接部６１とボールペンレフィル７後端との当接状態が維持される。
【００４４】
本実施の形態のボールペン１は、金属製のボールペンチップ８を合成樹脂製のチップホルダー９に固着させ前記チップホルダー９をインキ収容筒１０の前部に固着させてなるボールペンレフィル７と、前記ボールペンレフィル７を内部に収容させ前記ボールペンチップ８を先端孔４１から突出させる軸筒２とからなり、前記チップホルダー９のチップ固着部９１後方の外周（即ち圧接部９２）を前記軸筒２の先端部内壁に圧接し、非筆記時、前記チップ固着部９１外周と軸筒２の先端部内壁とを非接触状態にさせ、筆記時、筆記圧でボールペンチップ８を軸筒２に対して撓み変形可能としたものである。
【００４５】
本実施の形態のボールペン１は、軸筒２の先端孔４１内壁に、筆記時にボールペンチップ８の外壁（即ち支持筒８２の外壁）に接触し、ボールペンチップ８の軸筒２に対する撓み変形量を規制する規制部４２を設け、前記規制部４２後方の軸筒２の先端部内壁にストレート状内面４３を設け、前記チップ固着部９１後方のチップホルダー９外壁に、前記ストレート状内面４３と前後方向の摺動可能に圧接する圧接部９２を設けたものである。
【００４６】
・調節機構
本実施の形態のボールペン１は、規制部４２と圧接部９２先端との軸方向の距離Ｌ１を可変とする調節機構１２を備える。具体的には、規制部４２と当接部６１との軸方向の距離Ｌ２を可変とする調節機構１２を備える。尚、本実施の形態において、ボールペンレフィル７の圧接部９２先端と、尾栓６の当接部６１に当接するボールペンレフィル７の後端（係止部）との軸方向の距離は一定（即ち不変）とする。
【００４７】
前記調節機構１２は、先端孔４１、規制部４２、及びストレート状内面４３を有する前部材３（前軸４及び後軸５）と、前記前部材３と螺合される後部材６（尾栓）とからなる。前記調節機構１２の操作（尾栓６の操作部６３の回転操作）により、当接部６１が軸筒２に対して前後に移動し、規制部４２と当接部６１との軸方向の距離Ｌ２が可変となり、それに伴い、規制部４２と圧接部９２先端との軸方向の距離Ｌ１が可変となる。
【００４８】
・ソフトな筆記感を得る場合
本実施の形態のボールペン１において、尾栓６を後軸５に対して回転操作すると、尾栓６と後軸５との螺合により、尾栓６の当接部６１が前方に移動し、規制部４２と当接部６１との軸方向の距離Ｌ２が比較的短く設定され、それに伴い、規制部４２と圧接部９２先端との軸方向の距離Ｌ１が比較的短く設定される。それにより、圧接部９２を支点とした撓み変形の範囲が規制部４２により比較的広く設定され、軸筒２に対するボールペンチップ８の撓み変形量が大きく設定される。その結果、筆記時、比較的ソフトな筆記感が得られる。
【００４９】
・硬い筆記感を得る場合
本実施の形態のボールペン１において、尾栓６を後軸５に対して前記の場合と反対に回転操作すると、尾栓６と後軸５との螺合により、尾栓６の当接部６１が後方に移動し、規制部４２と当接部６１との軸方向の距離Ｌ２が比較的長く設定され、それに伴い、規制部４２と圧接部９２先端との軸方向の距離Ｌ１が比較的長く設定される。それにより、圧接部９２を支点とした撓み変形の範囲が規制部４２により比較的狭く設定され、軸筒２に対するボールペンチップ８の撓み変形量が小さく設定される。その結果、筆記時、比較的硬質な筆記感が得られる。
【図面の簡単な説明】
【００５０】
【図１】本発明のボールペンの実施の形態の縦断面図である。
【図２】図１の要部拡大縦断面図である。
【図３】図２のＡ−Ａ線断面図である。
【図４】図１の筆記時のボールペンチップが撓み変形した状態を示す要部拡大断面図である。
【符号の説明】
【００５１】
１  ボールペン
２  軸筒
３  前部材
４  前軸
４１  先端孔
４２  規制部
４３  ストレート状内面
４４  係止段部
５  後軸
５１  メネジ筒
５１ａ  メネジ部
６  後部材（尾栓）
６１  当接部
６２  オネジ部
６３  操作部
７  ボールペンレフィル
８  ボールペンチップ
８１  チップ本体
８２  支持筒
９  チップホルダー
９１  チップ固着部
９２  圧接部（リブ）
９３  係止壁部
１０  インキ収容筒
１１  弾発体（スプリング）
１２  調節機構
Ｌ１  規制部と圧接部先端との軸方向の距離
Ｌ２  規制部と当接部との軸方向の距離
Ｘ  被筆記面
【図１】
2009297913.tif 000003
【図２】
2009297913.tif 000004
【図３】
2009297913.tif 000005
【図４】
2009297913.tif 000006